(57)【要約】      （修正有）【課題】腿部の展開、腿部閉合訓練を行い、使用者に応じて訓練強度を調整するフットトレーナーを提供する。【解決手段】座台部１、背もたれ部２、二個の開閉伸展部３及び弾性材部４を含み、座台部１は前側１６と後側１８を備え、背もたれ部２は後側１８に、各開閉伸展部３は座台部１と相互に枢設し、各開閉伸展部３は第一支持フレーム３０及びそれとの角度を形成し、前側１６に第二支持フレーム３２を備える。第一支持フレーム３０は第一、第二定位段３０４、３０６を設け、第二支持フレーム３２の最上端には足当て部３２２を、その底端に足踏み部３２４を設置する。弾性材部４の両端は、開閉伸展部３の二本の第一、第二定位段３０４、３０６に定位し、第一定位段３０４に結合すると、第二支持フレーム３２は閉状態になり、二本の第二定位段３０６に結合すると、第二支持フレーム３２は開状態になる。【選択図】図１
0003206402.tif 000002
【実用新案登録請求の範囲】
【請求項１】
相互に相対する前側と後側を備える座台部と、
該座台部の後側に結合する背もたれ部と、
該二個が近づいたり離れたりする相対移動方式によって該座台部と相互に枢設し，且つ各々は第一支持フレーム及び該第一支持フレームと一角度を形成し並びに該座台部前側に位置する第二支持フレームを備え、該第一支持フレームは第一定位段及び第二定位段を設置し、該第二支持フレームの最上端に足当て部を設置し、その底端に近い箇所に足踏み部を設置する二個の開閉伸展部と、
両端を該二個の開閉伸展部の二本の第一定位段もしくは二本の第二定位段にそれぞれ定位する弾性材部を含むフットトレーナーにおいて、そのうち、
該弾性材部の両端を該二個の開閉伸展部の二本の第一定位段に結合すると、弾性材部が力を受けていない時、該二個の開閉伸展部の二本の第二支持フレームは相互に近づいて閉他状態になり、また該弾性材部の両端を該二個の開閉伸展部の二本の第二定位段に結合すると、該弾性材部がまだ力を受けていない時、該二個の開閉伸展部の二本の第二支持フレームは互いに離れて開いた状態になることを特徴とするフットトレーナー。
【請求項２】
前記第二支持フレームは、該第一支持フレームに相対して回転する方式で該第一支持フレームと相互に枢設することを特徴とする請求項１記載のフットトレーナー。
【請求項３】
前記第一支持フレームの各第一定位段及び各第二定位段は、それぞれ複数個の第一定位部及び複数個の第二定位部を備え、該弾性材部の両端は、それぞれ少なくとも一結合部を設置し、相互に対応する第一定位部及び第二定位部と相互に結合することを特徴とする請求項１記載のフットトレーナー。
【請求項４】
前記フットトレーナーは、更に枕部を含み、該枕部は該背もたれ部の最上端に結合し、且つ該背もたれ部に相対して一方向に沿って移動することを特徴とする請求項１記載のフットトレーナー。
【請求項５】
前記座台部は、座シート及び該座シートを支持するのに用いる支持柱を含み、該背もたれ部は枢設部を備え、枢設方式によって該支持柱と相互に結合し、且つ該背もたれ部の枢設部の末端は少なくとも一引張バネと該座台部の支持柱によって相互に連接することを特徴とする請求項１記載のフットトレーナー。
【考案の詳細な説明】
【技術分野】
【０００１】
本考案は、フットトレーナーに関するもので、特に腿部展開及び腿部閉合訓練方式を行い、且つ使用者自身の求めに応じて訓練強度を調整するフットトレーナーを提供する。
【背景技術】
【０００２】
体を鍛え、運動健身効果を達成するため、現在、業界では多種多様な運動器材が提供され、個々人の求めによって選び、体の各部位の訓練の目的が達成されている。
【０００３】
於肢体筋力訓練において、開閉伸展訓練は主な訓練方法のひとつである。
【先行技術文献】
【特許文献】
【０００４】
【特許文献１】特開２０００−１１６８１６号公報
【考案の概要】
【考案が解決しようとする課題】
【０００５】
解決しようとする問題点は、現在の運動器材は設計上、一般的に上部肢体の開閉伸展訓練がメインであるため、使用者は下部肢体の開閉伸展訓練を如何に行うか、また如何にして使用者自身の求めに応じて訓練強度を選ぶことができるようにすることが必要である。
【課題を解決するための手段】
【０００６】
本考案は、座台部、背もたれ部、二個の開閉伸展部及び弾性材部を含む。座台部は相互に相対する前側と後側を備える。背もたれ部は座台部の後側に結合する。二個の開閉伸展部は近づいたり離れたりする相対移動方式によって該座台部と相互に枢設し、そのうち各開閉伸展部は第一支持フレーム及び第一支持フレームと角度を形成し且つ座台部前側に位置する第二支持フレームを備える。第一支持フレームは第一定位段と第二定位段を設置する。第二支持フレームの最上端には足当て部を設置し、更にその底端に近い箇所に足踏み部を設置する。
弾性材部の両端は、それぞれ該二個の開閉伸展部の二本の第一定位段もしくは二本の第二定位段に定位する。弾性材部の両端を二個の開閉伸展部の二本の第一定位段に結合すると、弾性材部が力を受けない時、二個の開閉伸展部の二本の第二支持フレームは相互に近づいて閉じた状態になる。また、弾性材部の両端を二個の開閉伸展部の二本の第二定位段に結合すると、弾性材部が力を受けない時、二個の開閉伸展部の二本の第二支持フレームは互いに離れて開いた状態になることを最も主要な特徴とする。
【考案の効果】
【０００７】
本考案のフットトレーナーは、腿部展開及び腿部閉合訓練方式を行い、且つ使用者自身の求めに応じて訓練強度を調整するという利点がある。
【図面の簡単な説明】
【０００８】
【図１】本考案のフットトレーナーの良好な実施例の構造分解図である。
【図２】図１が示すフットトレーナーの弾性材部の部分構造立体外観図である。
【図３】図１が示すフットトレーナーの開閉伸展部の立体外観図である。
【図４】図１が示すフットトレーナー組立後の立体外観図である。
【図５】使用者が本考案のフットトレーナーを使用して腿部の展開訓練を行った使用状態図である。
【図６】使用者が本考案のフットトレーナーを使用して腿部の展開訓練を行った使用状態図である。
【図７】使用者が本考案のフットトレーナーを使用して腿部閉合訓練を行った使用状態図である。
【図８】使用者が本考案のフットトレーナーを使用して腿部閉合訓練を行った使用状態図である。
【考案を実施するための形態】
【０００９】
使用者が下部肢体の開閉伸展訓練を行い、使用者自身の必要に応じて異なる訓練強度を選択し、公知技術の欠点を改善するため、考案者は長年の経験を元に弛まぬ研究開発を続け本考案を生み出した。
【００１０】
腿部の展開訓練模式及び腿部開閉訓練方式を兼ね備えるだけでなく、使用者自身の求めに応じて該二種の脚部筋力訓練方式の訓練強度を調整するフットトレーナーを提供することを本考案の主な目的とする。
【００１１】
該技術問題及び期待される技術効果を改善するため、本考案はフットトレーナーを提供し、座台部、背もたれ部、二個の開閉伸展部及び弾性材部を含む。そのうち、該座台部は相互に相対する前側と後側を備える。該背もたれ部は該座台部の後側に結合する。該二個の開閉伸展部は近づいたり離れたりする相対移動方式によって該座台部と相互に枢設し、且つ各開閉伸展部は第一支持フレーム及び該第一支持フレームと一角度を形成し並びに該座台部前側に位置する第二支持フレームを備え、該第一支持フレームは第一定位段及び第二定位段を設置する。該第二支持フレームの最上端に足当て部を設置し，更にその底端に近い箇所に足踏み部を設置する。
該弾性材部は両端をそれぞれ該二本の開閉伸展部の二本の第一定位段もしくは二本の第二定位段に定位する。これらによって、該弾性材部の両端を該二個の開閉伸展部の二本の第一定位段に結合すると、該弾性材部が力を受けていない時、該二本の開閉伸展部の二本の第二支持フレームは相互に近づいて閉じた状態となる。また、該弾性材部の両端を該二本の開閉伸展部の二本の第二定位段に結合すると、該弾性材部が力を受けない時、該二個の開閉伸展部の二本の第二支持フレームは互いに離れて開いた状態となる。
【００１２】
実施時、該第二支持フレームは、該第一支持フレームに相対して回転方式で、該第一支持フレームと相互に枢設する。
【００１３】
実施時、該第一支持フレームの各第一定位段及び各第二定位段は、それぞれ複数個の第一定位部及び複数個の第二定位部を備える。実施例において、該弾性材部の両端は、それぞれ少なくとも一結合部を設置し，相互に対応する第一定位部及び第二定位部と相互に結合する。
そのうち、該少なくとも一結合部のうち、少なくとも一つは第一定位部もしくは第二定位部と嵌合方式で結合する。もしくは該少なくとも一結合部のうち、少なくとも一つは第一定位部もしくは第二定位部と磁性吸着方式で結合する。
【００１４】
実施時、該フットトレーナーは、更に枕部を含む。該枕部は該背もたれ部の最上端に結合し，且つ該背もたれ部に相対して一方向に沿って移動する。
【００１５】
実施時、該座台部は、更に座シート及び該座シートを支えるのに用いる支持柱を含む。該背もたれ部は枢設部を備え，枢設方式によって該支持柱と相互に結合する。実施例において、該背もたれ部の枢設部の末端は、少なくとも一引張バネによって該座台部の支持柱と相互に連接する。例として、該背もたれ部の枢設部の末端は、一本の引張バネもしくは二本の引張バネによって該座台部の支持柱と相互に連接する。
【００１６】
本考案の特長と作用を更に詳しく説明するため、実施例と共に図式を用いる。
【実施例】
【００１７】
本考案のフットトレーナーは、座台部１、背もたれ部２、二個の開閉伸展部３及び弾性材部４を含む。そのうち該座台部１は、相互に相対する前側１６と後側１８を備え、該背もたれ部２は該座台部１の後側１８に結合する。該二個の開閉伸展部３は近づいたり離れたりする相対移動方式によって該座台部１と相互に枢設し、且つ各開閉伸展部３は第一支持フレーム３０及び該第一支持フレーム３０と一角度を形成し該座台部１０の前側１８に位置する第二支持フレーム３２備える。
該第一支持フレーム３０は、第一定位段３０４及び第二定位段３０６を設置する。該第二支持フレーム３２はその最上端に足当て部３２２を設置し、その底端に近い箇所に足踏み部３２４を設置する。該弾性材部４は、その両端をそれぞれ該二個の開閉伸展部３の二本の第一定位段３０４もしくは二本の第二定位段３０６に定位する。該弾性材部４の両端を該二個の開閉伸展部３の二本の第一定位段３０４に結合すると、該弾性材部４は力を受けない時、該二個の開閉伸展部３の二本の第二支持フレーム３２は、相互に近づいて閉じた状態となる。
また、該弾性材部４の両端を該二個の開閉伸展部３の二本の第二定位段３０６に結合すると、該弾性材部４が力を受けない時、該二個の開閉伸展部３の二本の第二支持フレーム３２は互いに離れて開いた状態となる。
【００１８】
図１及び図４に示すとおり、その両図は、それぞれ本考案フットトレーナーの良好な実施例の構造分解図及び立体外観図を示す。その実施例において、図に示すとおり、フットトレーナーは、座台部１、背もたれ部２、二個の開閉伸展部３、弾性材部４及び枕部５を含む。
【００１９】
該座台部１は、構造において座シート１０を含み、使用者がその上に座る。支持柱１２は、該座シート１０を支える。更に一対のハンドル１４は、該座シート１０の両側に成形し、使用者が運動の時に握って平衡を保つ。
【００２０】
該背もたれ部２は、座台部の後側１８に結合する。この実施例において、背もたれ部２は枢設部２０を備え、該座台部１の支持柱１２と枢設方式で結合し、該背もたれ部２は該座台部１に相対し制限付きで前後に移動する。
【００２１】
該背もたれ部２の前、後移動範囲を制御するため、常態時（力を受けていない）の状況下で背もたれ部の位置を維持し、背もたれ部枢設部の末端を少なくとも一引張バネで座台部の支持柱上に連接し、且つ引張バネの数量（例として一もしくは二本の引張バネ）によって抵抗の大きさ（例として一抵抗力もしくは二倍の抵抗力）を変更することができる。この実施例において背もたれ部２の枢設部２０の末端は、二本の引張バネによって該座台部１の支持柱１２上に連接する。
【００２２】
使用の快適性を高めるため、該背もたれ部２の最上端は更に該枕部５を結合する。この実施例において、該枕部５は該背もたれ部２に相対し一方向に沿って移動し，且つ使用者は自身の必要に応じて調整ボタン６で枕部５の位置を調整する。
【００２３】
該二個の開閉伸展部３は、相互に対応する構造を備える。この実施例において、各開閉伸展部３は水平に延びる第一支持フレーム３０及び該第一支持フレーム３０末端に結合して垂直に延びる第二支持フレーム３２を備え、且つ第二支持フレーム３２は、第一支持フレーム３０に相対して回転する方式で第一支持フレーム３０と相互に枢設し、且つ該座台部１０の前側１６に近い箇所に位置する。
そのうち、該第一支持フレーム３０は枢設部３０２、第一定位段３０４及び第二定位段３０６を備え、該第二支持フレーム３２は足当て部３２２、足踏み部３２４及び位置制限部３２６を備える。
【００２４】
この実施例において、該二個の開閉伸展部３は、各第一支持フレーム３０の枢設部３０２で該座台部１の支持柱１２上に枢設し、これらによって該二個の開閉伸展部３の各第一支持フレーム３０と第二支持フレーム３２が互いに近づいたり遠ざかったりして相対移動する。
【００２５】
図３に示すのは、開閉伸展部の詳細構造の特徴である。図に示すとおり、該第一支持フレーム３０の第一定位段３０４と第二定位段３０６は、該枢設部３０２の両側に設置し、且つ両者は角度を形成して配列する。その他、該第一定位段３０４と第二定位段３０６は、それぞれ複数個の第一定位部３０４２及び複数個の第二定位部３０６２を設置する。
【００２６】
図３に示すとおり、該第二支持フレーム３２の足当て部３２２は、その上端に設置し、使用者が座った時に大腿部をその内側面もしくは外側面上に当てる。該第二支持フレーム３２の足踏み部３２４は、その下端に設置し、使用者が座った時に踏む。該第二支持フレーム３２の位置位置制限部３２６は、該足踏み部３２４の上方に位置し、使用者の足の位置を定位させる。
【００２７】
図２では、弾性材部の詳細構造の特徴を提示する。図に示すとおり、該弾性材部４は弾性材本体４０（即ちバネ）を備え、弾性材本体４０の両端４２に二個の結合部４４、４４’を設置し、そのうち結合部４４はリングバネとする。結合部４４’は磁石である。
【００２８】
弾性材部４は、その両端の結合部で、それぞれ該二個の開閉伸展部３と相互に対応する二個の第一定位部３０４２もしくは二個の第二定位部３０６２は相互に結合する。言い換えると、各第一定位部/第二定位部はどれも該弾性材部の結合部と相互に結合する構造を備える。この実施例において、各第一定位部３０４２/第二定位部３０６２はすべて同時にリングバネと結合し、磁石に吸着する構造を備える。
【００２９】
該弾性材部４の両端を該二個の開閉伸展部３の各第一支持フレーム３０上の相対する二本の第一定位段３０４に結合した時、弾性材部４が力を受ける前、二個の開閉伸展部の二本の第二支持フレームは相互に近づいたり、閉じたりする状態となり、それが腿部展開及び閉合訓練モデルとなる。
【００３０】
図５と図６は、本考案のフットトレーナーで腿部展開訓練する使用状態図である。図６に示すとおり、弾性材部４を相互に対応する二本の第一定位段３０４に結合し、該二個の開閉伸展部３の二本の第二支持フレーム３２は、弾性材部が正常な長さの時、相互に近づいて閉じた状態である。使用者が座台部１の座シート１０に座った時、両足を開閉伸展部３内側位置に置き、力を入れると、図６の点線矢印に沿って、開閉伸展部３を外向きに押し開き（即ち弾性材部４を引っ張り）、腿部の展開訓練となる。
【００３１】
図７と図８に示すのは本考案のフットトレーナーで腿部閉合訓練する使用状態図である。図７に示すとおり、弾性材部４が相互に対応する二本の第二定位段３０６に結合すると、該二個の開閉伸展部３の二本の第二支持フレーム３２は弾性材部が正常長さの時、互いに離れて開いた状態である。その時、使用者が座台部１の座シート１０に座ると、その両足を開閉伸展部３外側位置に置き、力をかけると開閉伸展部３を内向きに閉じ（即ち弾性材部４を圧縮し）、腿部閉合訓練となる。
【００３２】
腿部の展開訓練及び腿部閉合訓練の二種方式によって、二個の開閉伸展部３の第二支持フレーム３２も必要に合わせて調整する。具体的に言うと、特定の訓練モデルは第二支持フレーム３２を第一支持フレーム３０に相対して回転し、第二支持フレーム３２の足踏み部３２４及び位置制限部３２６を適する位置（即ち開閉伸展部の内側もしくは外側）に移動することで使用者が使用しやすくする。
【００３３】
その他、前文に示すとおり、二個の開閉伸展部３の第一支持フレームの第一定位段３０４及び第二定位段３０６は、それぞれ複数個の第一定位部及び第二定位部を設置する。これらによって二本の第二支持フレーム３２は弾性材部が力を受けない時の最初に近づく程度、もしくは遠ざかる程度を決定し、使用者の求めに応じて多種の異なる腿部筋力訓練強度を提供する。
【００３４】
上述のとおり、本考案は予定の目的を確実に達成し、腿部の展開訓練及び腿部閉合訓練の二種のモデルを兼備し、且つ使用者自身の必要に応じて訓練強度を選択するフットトレーナーを提供する。産業利用価値が極めて高いため、実用新案登録を申請する。
【００３５】
上述の説明と図式は、本考案を説明するための実施例にすぎず、当領域に習熟した者が同効果の局部変化と修飾を行った場合、本考案の技術精神に含まれる。
【符号の説明】
【００３６】
１        座台部
１０        座シート
１２        支持柱
１４        把手
１６        前側
１８        後側
２        背もたれ部
２０        枢設部
２２        末端
２４        引張バネ
３        開閉伸展部
３０        第一支持フレーム
３０２        枢設部
３０４        第一定位段
３０４２        第一定位部
３０６        第二定位段
３０６２        第二定位部
３２        第二支持フレーム
３２２        足当て部
３２４        足踏み部
３２６        限位部
４        弾性材部
４０        弾性材本体
４２        端部
４４        結合部
４４’       結合部
５        枕部
６        調整ボタン
【図１】
0003206402.tif 000003
【図２】
0003206402.tif 000004
【図３】
0003206402.tif 000005
【図４】
0003206402.tif 000006
【図５】
0003206402.tif 000007
【図６】
0003206402.tif 000008
【図７】
0003206402.tif 000009
【図８】
0003206402.tif 000010